(57)【要約】温調機能をミックスドアに集約し、ミックスドアを利用して混合する前の空気を取り込んで下流側の吹出開口へ供給することで各吹出開口から吹出す空気の温度差を小さくする。【解決手段】温風通路１２と、これをバイパスするバイパス通路１１と、これらの通路を流れた空気を混合するミックス空間１３と、ミックス空間からの空気をデフロスト吹出開口１４及びベント吹出開口１５の少なくとも一方へ導く第１吹出通路５と、ミックス空間からの空気をフット吹出開口１６へ導く第２吹出通路６を有し、ミックス空間１３にロータリ式のミックスドア２０を配置する。このミックスドア２０を、回転軸２１と、この回転軸より上流側に設けられた閉塞部２３と、回転軸２１と閉塞部２３との間に形成され、温風通路１２を流れる空気の一部を第１吹出通路５側へ導く通路およびバイパス通路１１を流れる空気の一部を第２吹出通路６側へ導く通路の少なくとも一方を構成する案内通路４１，４２を設ける。【選択図】      図１
2014058009.tif 000002
【特許請求の範囲】
【請求項１】
空気を導入する導入口と空気を吹き出す複数の吹出開口とを備えたケースを備え、
前記ケース内に、
導入された空気を加熱する加熱用熱交換器と、
前記加熱用熱交換器を通過した空気が流れる温風通路と、
前記加熱用熱交換器をバイパスした空気が流れるバイパス通路と、
前記温風通路を流れた空気と前記バイパス通路を流れた空気を混合するミックス空間と、
このミックス空間に配置され、回転軸が前記ケースに回転自在に支持されたロータリ式のミックスドアと、
前記ミックス空間からの空気をデフロスト吹出開口及びベント吹出開口の少なくとも一方へ導く第１吹出通路と、
前記ミックス空間からの空気をフット吹出開口へ導く第２吹出通路と、
を有した車両用空調装置において、
前記温風通路、前記バイパス通路、前記第１吹出通路、前記第２吹出通路は、前記ミックス空間の周囲に、前記回転軸を囲んで、前記温風通路、前記バイパス通路、前記第１吹出通路、前記第２吹出通路の順に配置され、
前記ミックスドアは、前記回転軸より上流側に設けられ、前記温風通路と前記バイパス通路の前記ミックス空間に対する開度を調整する閉塞部と、
前記回転軸と前記閉塞部との間に形成され、前記温風通路側を流れる空気の一部を前記第１吹出通路側へ導く通路および前記バイパス通路側を流れる空気の一部を前記第２吹出通路側へ導く通路の少なくとも一方として構成される案内通路とを具備すること
を特徴とする車両用空調装置。
【請求項２】
前記案内通路は、
前記温風通路を流れる空気の一部を前記第１吹出通路側へ導く第1案内通路と、
前記バイパス通路を流れる空気の一部を前記第２吹出通路側へ導く第２案内通路と
を有することを特徴とする請求項１記載の車両用空調装置。
【請求項３】
前記ケース内に冷却用熱交換器がさらに収容され、
前記バイパス通路は、前記冷却用熱交換器を通過した空気を前記ミックス空間へ導くことができる通路であることを特徴とする請求項１又は２記載の車両用空調装置。
【請求項４】
前記第1案内通路と前記第２案内通路の少なくとも一方が複数設けられる場合、前記第１案内通路と前記第２案内通路とは、前記回転軸の軸方向に交互に配置されることを特徴とする請求項２記載の車両用空調装置。
【請求項５】
前記第２案内通路は、前記回転軸の軸方向における前記ミックスドアの中間部に設けられ、
前記第１案内通路は、前記回転軸の軸方向における前記第２案内通路の両側に設けられていることを特徴とする請求項４記載の車両用空調装置。
【請求項６】
前記ミックスドアには、前記案内通路へ空気を導く導入部が設けられていることを特徴とする請求項１乃至５のいずれかに記載の車両用空調装置。
【請求項７】
前記導入部は、前記ミックスドアの可動領域内に設けられていることを特徴とする請求項６記載の車両用空調装置。
【請求項８】
前記ミックスドアの下流側にロータリ式のモードドアが設けられ、このモードドアの回転軸を前記ミックスドアの回転軸と同じ軸線上で支持したことを特徴とする請求項１乃至７のいずれかに記載の車両用空調装置。
【発明の詳細な説明】
【技術分野】
【０００１】
この発明は、ロータリ式ミックスドアを備えた車両用空調装置に関する。
【背景技術】
【０００２】
一般的な車両用空調装置は、ケース内の空気流路に冷却用熱交換器（エバポレータ）や加熱用熱交換器（ヒータコア）を収容し、ケース内に導入された空気を冷却用熱交換器によって冷却し、この冷却された空気の一部を加熱用熱交換器でリヒートし、その後、リヒートした空気と加熱用熱交換器をバイパスした空気とを混合し、最下流側に設けられた吹出開口から車室に供給するようにしている。【０００３】
吹出開口は、窓ガラスへ向けて温調空気を供給するデフロスト吹出開口や主に乗員の上半身に向けて温調空気を供給するベント吹出開口からなる上部吹出開口と、乗員の足元へ向けて温調空気を供給するフット吹出開口からなる下部吹出開口とを備える。また、加熱用熱交換器をバイパスする空気が流れる冷風通路は上部吹出開口寄りに形成され、また、加熱用熱交換器を通過する空気が流れる温風通路は下部吹出開口寄りに形成されている。この構成により、上部吹出開口には冷風を多く、下部吹出開口には温風を多く供給することができ、車室の快適性を向上することができる。【０００４】
しかし、空調ケースの小型化の要請から、加熱用熱交換器の下流側にこれを通過させた空気とバイパスさせた空気とを混合させるエアミックス領域を大きく確保できない場合には、エアミックス領域において冷風と温風とを十分に混合させることができず、加熱用熱交換器をバイパスした空気の多くが、そのまま上部吹出開口へ導かれ、また、加熱用熱交換器を通過した空気の多くが、そのまま下部吹出開口へ導かれ、上部吹出開口から吹き出る空気と下部吹出開口から吹き出る空気との温度差が大きすぎてしまう不都合がある。【０００５】
このような温度差が大きくなる不都合は、冷却用熱交換器を有さず、加熱用熱交換器を通過した空気と加熱用熱交換器をバイパスした空気とを、エアミックス領域を介して吹出開口から車室へ吹き出す場合にも同様に生じ得る。【０００６】
このため、このような不都合を解消するために、従来においては、下記する特許文献１に示されるように、空調ケース内のエアミックス領域（混合領域）にて移動可能であり、エアミックス領域に通じる吹出開口への配風割合を調節する配風調節ダンパに、加熱用熱交換器を通過させた温風を加熱用熱交換器をバイパスさせた冷風と混合させることなく上部吹出開口へ案内する案内通路を設けた構成が提案されている。【０００７】
ここで用いられる配風調節ダンパは、ロータリダンパで構成されており、このロータリダンパを、軸部とこの軸部より下流側に設けられた遮蔽部と、遮蔽部のエバポレータ側の開口端の外側に突出するように設けられた案内通路とを有して構成し、暖風の一部を案内通路に流すことで、冷風と混合させることなくベント開口側またはデフロスト開口側へ案内しようとするものである。
【先行技術文献】
【特許文献】
【０００８】
【特許文献１】特開２０１２−１２１３８３号公報
【発明の概要】
【発明が解決しようとする課題】
【０００９】
しかしながら、上述の構成においては、配風ドアに吹出開口へ供給する空気温度を調節する機能を持たせているので、配風チューニングと温度チューニングを１つの配風調節ダンパにて行わなければならず、両機能のチューニングを両立させることが困難となる。【００１０】
また、上述の配風調節ダンパは、遮蔽部が軸部より下流側に設けられ、案内通路がエバポレータ側の開口端の外側に設けられているので、温風を取り込むために温風通路に向かって案内板を延ばす必要があり、大型化する。そして、空調ケース内は、案内通路の突出分を見越して配風調整ダンパの収容スペースを確保する必要があり、空調装置の大型化を回避することができなくなる。【００１１】
本発明は係る事情に鑑みてなされたものであり、ミックスドアに設けた案内通路を利用して、上部吹出開口から吹出す空気と下部吹出開口から吹出す空気の温度差を小さくできる車両用空調装置において、温調機能をミックスドアに集約して温度チューニングを容易化でき、また、ミックスドアの大型化を回避し、引いては空調装置の大型化を回避することが可能な構成を提供することを、主たる課題としている。
【課題を解決するための手段】
【００１２】
上記課題を達成するために、本発明にかかる車両用空調装置は、空気を導入する導入口と空気を吹き出す複数の吹出開口とを備えたケースを備え、前記ケース内に、導入された空気を加熱する加熱用熱交換器と、前記加熱用熱交換器を通過した空気が流れる温風通路と、前記加熱用熱交換器をバイパスした空気が流れるバイパス通路と、前記温風通路を流れた空気と前記バイパス通路を流れた空気を混合するミックス空間と、このミックス空間に配置され、回転軸が前記ケースに回転自在に支持されたロータリ式のミックスドアと、前記ミックス空間からの空気をデフロスト吹出開口及びベント吹出開口の少なくとも一方へ導く第１吹出通路と、前記ミックス空間からの空気をフット吹出開口へ導く第２吹出通路と、を有した車両用空調装置であって、前記温風通路、前記バイパス通路、前記第１吹出通路、前記第２吹出通路は、前記ミックス空間の周囲に、前記回転軸を囲んで、前記温風通路、前記バイパス通路、前記第１吹出通路、前記第２吹出通路の順に配置され、前記ミックスドアは、前記回転軸より上流側に設けられ、前記温風通路と前記バイパス通路の前記ミックス空間に対する開度を調整する閉塞部と、前記回転軸と前記閉塞部との間に形成され、前記温風通路側を流れる空気の一部を前記第１吹出通路側へ導く通路および前記バイパス通路側を流れる空気の一部を前記第２吹出通路側へ導く通路の少なくとも一方として構成される案内通路とを具備することを特徴としている。【００１３】
したがって、ミックスドアに、温風通路とバイパス通路のミックス空間に対する開度を調整してそれぞれの通路からミックス空間へ導く空気の割合を調節する機能と、案内通路により温風通路を流れる空気の一部を第１吹出通路側へ導く通路およびバイパス通路を流れる空気の一部を第２吹出通路側へ導く通路の少なくとも一方を備えることで、吹出開口から最終的に吹き出す空気の温度を調整する機能とを併せ持たせるようにしたので、温調機能をミックスドアに集約することが可能となり、吹出し空気温度のチューニングを容易に行うことができる。【００１４】
また、ミックスドアの閉塞部を回転軸の上流側に設け、回転軸と閉塞部との間に案内通路を設けたので、ミックスドアの開口端の外側に案内通路を設ける必要が無く、ミックスドアの大型化を避けることが可能となる。そして、回転軸の上流側に案内通路を設けたので、ミックス空間に流れてきた温風または冷風の一部を効果的に案内通路に取り込むことができる。【００１５】
ここで、前記案内通路は、温風通路を流れる空気の一部を第１吹出通路側へ導く第1案内通路と、バイパス通路を流れる空気の一部を第２吹出通路側へ導く第２案内通路とを有するようにするとよい。
このような構成においては、バイレベルモード時やデフフットモード時に、デフロスト吹出開口及びベント吹出開口の少なくとも一方へ向かう空気の温度を相対的に上げることができ、また、フット吹出開口に向かう空気の温度を相対的に下げることができるので、各吹出開口から吹出す空気の温度差を小さくすることが可能となる。【００１６】
以上の構成において、ケース内に冷却用熱交換器をさらに収容してもよい。リヒートした空気をバイレベルモードやデフフットモードで吹き出す場合に、各吹出開口から吹出す空気の温度差を効果的に小さくすることが可能となる。【００１７】
ここで、前記第1案内通路と前記第２案内通路の少なくとも一方が複数設けられる場合においては、前記第１案内通路と前記第２案内通路とを、前記回転軸の軸方向に交互に配置することが好ましい。
このように回転軸の軸方向に第１案内通路と第２案内通路を交互に配置すれば、第１吹出通路側へ導く空気と第２吹出通路側へ導く空気のそれぞれが回転軸の軸方向で偏ることがなくなる。【００１８】
たとえば、前記第２案内通路を、前記回転軸の軸方向における前記ミックスドアの中間部に設け、前記第１案内通路を、前記回転軸の軸方向における前記第1案内通路の両側に設ける構成とすれば、第１吹出通路側へ導く温風を回転軸の軸方向のいずれかに偏らせずに流しやすいものとなる。【００１９】
以上のミックスドアにおいては、案内通路へ空気を導く導入部を更に設けることが望ましい。このような構成の採用により、案内通路への空気の積極的な導入を確保することができ、各吹出開口の温度差をより的確に抑えることができる。【００２０】
特に、導入部を、ミックスドアの可動領域内に設けるようにすることで、導入部の張り出しを可動領域内に抑えることができ、空調装置の大型化を避けることが可能となる。【００２１】
なお、ミックスドアの下流側にロータリ式のモードドアが設けられる場合には、このモードドアの回転軸をミックスドアの回転軸と同じ軸線上で支持するようにするとよい。
このような構成の採用により、ミックスドアの軸とモードドアの軸とを別々の位置で支持する必要がなくなるので、空調装置の小型化を図りやすいものとなる。
【発明の効果】
【００２２】
以上述べたように、本発明によれば、ミックス空間に、回転軸がケースに回転自在に支持されたロータリ式のミックスドアを配置し、このミックス空間に、回転軸の周方向に沿って、加熱用熱交換器を通過した空気が流れる温風通路と、加熱用熱交換器をバイパスした空気が流れるバイパス通路と、ミックス空間からの空気をデフロスト吹出開口及びベント吹出開口の少なくとも一方へ導く第１吹出通路と、ミックス空間からの空気をフット吹出開口へ導く第２吹出通路とが接続される車両用空調装置において、ミックスドアに、回転軸より上流側に設けられ、温風通路とバイパス通路の面積を調整できる閉塞部と、回転軸と閉塞部との間に形成された案内通路とを設け、この案内通路を、温風通路を流れた空気の一部を第１吹出通路側へ導く通路およびバイパス通路を流れた空気の一部を第２吹出通路側へ導く通路の少なくとも一方として構成したので、温調機能をミックスドアに集約させることが可能となり、吹き出し空気温度のチューニングを容易に行うことができる。また、ミックスドアの開口端の外側に案内通路を設ける必要が無いので、ミックスドアの大型化を避けることが可能となり、空調装置の小型化を図りやすいものとなる。そして、回転軸の上流側に案内通路を設けたので、ミックス空間に流れてきた空気の一部を効果的に案内通路に取り込むことができる。【００２３】
ここで、案内通路として、温風通路を流れる空気の一部を第１吹出通路側へ導く第1案内通路と、バイパス通路を流れる空気の一部を第２吹出通路側へ導く第２案内通路とを備えることで、特に、バイレベルモード時やデフフットモード時において、デフロスト吹出開口及びベント吹出開口の少なくとも一方へ向かう空気温度を相対的に上げ、また、フット吹出開口へ向かう空気温度を相対的に下げることが可能となるので、各吹出開口から吹出す空気の温度差を効果的に小さくすることが可能となる。【００２４】
このような構成は、冷却用熱交換器を具備しない車両用空調装置においても効果的な構成であるが、冷却用熱交換器を具備する車両用空調装置においても、各吹出開口から吹出す空気の温度差を効果的に小さくすることが可能となる。【００２５】
また、第１案内通路と第２案内通路の少なくとも一方が複数設けられる場合には、第1案内通路と第２案内通路とを回転軸の軸方向に交互に配置することで、第１吹出通路へ導く空気と第２吹出通路へ導く空気のそれぞれを回転軸の軸方向で偏らせることがなくなる。
たとえば、第２案内通路を、前記回転軸の軸方向における前記ミックスドアの中間部に設け、第１案内通路を、前記回転軸の軸方向における前記第２案内通路の両側に設ける構成とすれば、第１吹出通路側へ導く温風を回転軸の軸方向のいずれかに偏らせずに流すことが可能となる。【００２６】
また、案内通路に空気を導く導入部を設けることで、案内通路への空気の積極的な導入を確保することができ、デフロスト吹出開口やベント吹出開口から吹出す空気とフット吹出開口から吹出す空気の温度差を的確に抑えることが可能となる。【００２７】
特に、導入部を、ミックスドアの可動領域内に設けるようにすることで、導入部の張り出しをミックスドアの可動領域内に抑えることができ、空調装置の大型化を避けることが可能となる。【００２８】
なお、ミックスドアの下流側にロータリ式のモードドアが設けられる場合には、このモードドアの回転軸をミックスドアの回転軸と同じ軸線上で支持することで、空調装置の小型化を図りやすいものとなる。
【図面の簡単な説明】
【００２９】
【図１】図１は、本発明に係る車両用空調装置の全体構成例を示す図である。
【図２】図２は、本発明に係る車両用空調装置のケースの一部を除去して内部の構成部品を示した斜視図である。
【図３】図３は、本発明に係る車両用空調装置に用いられるミックスドアを示す斜視図である。
【図４】図４は、ミックスドアの構造を説明する断面図であり、（ａ）はミックスドアの回転軸の軸方向に対して両側付近の断面図（図３のＡ−Ａ線で切断した断面図）であり、（ｂ）はミックスドアの回転軸の軸方向に対して中央付近の断面図（図３のＢ−Ｂ線で切断した断面図）である。
【図５】図５は、本発明に係る車両用空調装置の各吹出モード時の空気の流れを説明する図である。
【図６】図６は、バイレベルモード時又はデフフットモード時での空気の流れを説明する図であり、（ａ）は図３のＡ−Ａ線で切断した断面での空気の流れを説明する図、（ｂ）は図３のＢ−Ｂ線で切断した断面での空気の流れを説明する図である。
【発明を実施するための形態】
【００３０】
以下、この発明の実施の形態を図面により説明する。
図１において、車両のセンターコンソール部に搭載されるセンター置きタイプの車両用空調装置の空調ユニット１が示されている。この空調ユニット１は、エンジンルームと車室とを区画する仕切板よりも車室側に配されているもので、図示しない送風機ユニットを介して外気（車室外空気）または内気（車室内空気）を適宜切替えて導入し、導入された空気を送風機により空調ケース２の最前部の空気導入空間３に導入するようになっている。
【００３１】
空調ケース２は、車室へ向かって流れる空気の通路を形成するもので、合成樹脂材によって成形され、ケース内の空調機器の組み付け上の理由から、また、成形上の型抜きの都合から、複数のケース部材で構成されており、この例では、車両左右方向に分割されたケース部材によって構成されている。
【００３２】
空調ユニット１の空調ケース２は、最上流側となる最前端に前記空気導入空間３へ空気を導入する導入口４が形成され、また、最下流側に、空気を上方へ向けて吹き出す吹出開口へ空気を導く第１吹出通路５と、空気を下方へ向けて吹き出す吹出開口へ空気を導く第２吹出通路６とを備えている。
【００３３】
空調ケース２内において空気導入空間３の下流側には、冷却用熱交換器をなすエバポレータ７が配置され、このエバポレータ７の下流側には加熱用熱交換器をなすヒータコア８が配置されている。
【００３４】
エバポレータ７は、冷凍サイクルの一部を構成するもので、導入口４から導入されたすべての空気を通過させるように空気通路内に立設されており、通過空気を冷却可能になっている。
【００３５】
エバポレータ７の下流側には、図２に示されるように、空気通路の略中央に配置された仕切壁１０が空調ケース２と一体に形成されている（図においては、片側のケース部材と一体化された仕切壁のみが示されている）。この仕切壁１０は、エバポレータ７の通風部の略中央から上側の部分と対峙するよう設けられており、エバポレータ７の通風端面に対して略平行に延設されている。
【００３６】
ヒータコア８は、エンジンの冷却水を熱源として通過空気を加熱するもので、仕切壁１０の下側に配置されている。この例において、ヒータコア８は、仕切壁１０の下端から空調ケース２の車室側に設けられたガイド壁１７にかけて略水平に設置されている。
【００３７】
したがって、エバポレータ７の下流側のうち、仕切壁１０の上側（エバポレータ７に近い側）には、エバポレータ７のみを通過した冷風（ヒータコア８を通過せずにバイパスした空気）を車室側へ向けて斜め上方へ導くバイパス通路１１（この例では、冷風通路）が形成され、また、エバポレータ７の下流側のうち、仕切壁１０の下側（エバポレータ７から遠い側）には、空調ケース２の底内面を回り込み、下から上に向かってヒータコア８へ流れ込み、ヒータコア８から上方に向かって温風を導く温風通路１２が形成されている。
【００３８】
仕切壁１０の上方には、バイパス通路１１から供給された冷風と温風通路１２から供給された温風とを混合させるミックス空間１３が形成され、このミックス空間１３に前記第１吹出通路５と第２吹出通路６とが接続されている。
【００３９】
第１吹出通路５は、この例では、ミックス空間１３の上方に設けられた上部吹出通路を構成するもので、ミックス空間１３からの空気を車両のガラス内面に向けて吹出すデフロスト吹出開口１４とミックス空間１３からの空気を乗員の上半身に向けて吹出すベント吹出開口１５とに連通しており、前記バイパス通路１１寄りに形成されて、前記温風通路１２とはミックス空間１３を挟んで略反対側に設けられている。
【００４０】
また、第２吹出通路６は、ガイド壁１７の車室側に設けられて下部吹出通路を構成するもので、ミックス空間１３からの空気を乗員の足元に向けて吹出すフット吹出開口１６に連通しており、温風通路１２寄りに形成されて、前記バイパス通路１１とはミックス空間１３を挟んで略反対側に設けられている。
【００４１】
そして、ミックス空間１３には、前記バイパス通路１１と温風通路１２からの空気の導入比率を調節するロータリ式のミックスドア２０が配設され、このミックスドア２０の下流側には、吹出モード切替機構３０が設けられている。
【００４２】
ミックスドア２０は、図３にも示されるように、空調ケース２の左右の壁面（車幅方向で対峙する両側面）に回転自在に支持される回転軸２１と、この回転軸２１から径方向に延設されて相互に平行な一対の略扇形状をなすドア側壁２２と、この一対のドア側壁２２の外周縁間を繋ぐように形成された閉塞部２３とを有し、ミックス空間１３の略中央を中心に回転するよう回転軸２１を左右のケース部材２ａ（図２においては、片側のみが示されている）に軸支し、閉塞部２３を回転軸２１よりも上流側に位置させてバイパス通路１１と温風通路１２のミックス空間１３に対する開口割合を調整できるようにしている。
【００４３】
空調ケース２には、エバポレータ７の上端部から上方に延設され、ミックスドア２０の回転軸２１を中心とする円弧状に形成された円周壁２５と、空調ケース２のガイド壁１７の上端から延設され、ミックスドア２０の回転軸２１を中心とする円弧状に形成された円周壁２６とを設けられている。そして、円周壁２５から仕切壁１０の上端にかけての冷風通路や、仕切壁１０の上端から円周壁２６にかけての温風通路の開口割合は、ミックスドア２０の回動位置に応じて、閉塞部２３により調整される。
【００４４】
したがって、ミックス空間１３には、ミックスドア２０の回転軸２１の周方向に、前記温風通路１２、前記バイパス通路１１、前記第１吹出通路５、前記第２吹出通路６が接続され、ミックスドア２０の閉塞部２３によって円周壁２５と仕切壁１０の上端との間が閉塞された状態においては、温風通路１２のみがミックス空間１３に開放し、閉塞部２３によって仕切壁１０と円周壁２６との間が閉塞された状態においては、バイパス通路１１のみがミックス空間１３に開放し、閉塞部２３の中間位置を仕切壁１０の上端と対峙させた状態においては、バイパス通路１１と温風通路１２のそれぞれの一部が遮られ、開口割合に応じてミックス空間１３に導入される冷風と温風の導入割合が調節されるようになっている。
【００４５】
また、本実施形態においては、吹出モード切替機構３０は、ミックス空間１３のミックスドア２０の下流側に配置されたロータリ式モードドア３１と、第１吹出通路５に配置され、デフロスト吹出開口１４とベント吹出開口１５との境に設けられた片持ちの板式モードドア３５とにより構成し、ロータリ式モードドア３１によって第１吹出通路５と第２吹出通路６とを開閉し、板式モードドア３５によってデフロスト吹出開口１４とベント吹出開口１５とを開閉するようにしている。
【００４６】
ロータリ式モードドア３１においても、空調ケース２に回転自在に支持される回転軸３２と、この回転軸３２から径方向に延設されて相互に平行な一対の略扇形状をなすドア側壁３３と、この一対のドア側壁３３の外周縁間を繋ぐように形成された閉塞部３４とを有し、回転軸３２をミックスドア２０の回転軸２１と同じ軸線上で支持するようにしている。
【００４７】
空調ケース２には、第２吹出通路６より上方に形成され、ミックスドア２０の回転軸２１を中心とする円弧状の円周壁２７が設けられている。この円周壁２７は、前記円周壁２５と２６とともにミックス空間１３を形成する。そして、円周壁２５から円周壁２７にかけての第１吹出通路５や、円周壁２７から円周壁２６にかけての第２吹出通路６の開口割合は、ロータリ式モードドア３１の回動位置に応じて、閉塞部３４により調整される。
【００４８】
そして、ミックスドア２０には、回転軸２１と閉塞部２３との間（閉塞部２３の裏側）に、温風通路１２を流れる空気の一部を第１吹出通路５側へ導く通路およびバイパス通路１１を流れる空気の一部を第２吹出通路６側へ導く通路の少なくとも一方として構成される案内通路４１，４２が設けられている。
【００４９】
この案内通路は、温風通路１２を流れる空気（温風）の一部をバイパス通路１１を流れる空気（冷風）と合流させることなく第１吹出通路５側へ案内する第１案内通路４１と、バイパス通路１１を流れる空気（冷風）の一部を温風通路１２を流れる空気（温風）と合流させることなく第２吹出通路６側へ案内する第２案内通路４２と、から構成されている。それぞれの案内通路４１，４２は、断面矩形に形成された筒状体を回転軸２１の軸方向に配列して構成されている。ところで閉塞部２３は、図４に示されるように、案内通路４１，４２の外側（上流側）に肉厚に形成されるものであっても、一点鎖線で囲まれた部分を肉抜きして中空に形成されるものであってもよい。
【００５０】
また、この例においては、第１案内通路４１が、ミックスドア２０の回転軸２１の軸方向における中間部に設けられ、第２案内通路４２が、ミックスドア２０の回転軸２１の軸方向における第１案内通路４１の両側に設けられている。
【００５１】
第１案内通路４１と第２案内通路４２の通路幅は、適宜設定すればよいが、この例では、第１案内通路４１の通路幅を第２案内通路４２の通路幅のほぼ倍とし、第１案内通路４１の通路面積を第２案内通路４２の合計の通路面積と略等しくなるようにしている。
【００５２】
さらに、それぞれの案内通路４１，４２には、通路内へ空気を誘導する導入部４１ａ，４２ａが設けられている。
この導入部４１ａ，４２ａは、それぞれの案内通路４１，４２の筒状体の空気導入側を、ミックスドア２０の開口端から突出するように（ドア側壁２２よりも、回転軸２１の周方向に突出するように）設けられているもので、第１案内通路４１にあっては、温風通路１２側に突出するように設けられ、第２案内通路にあっては、バイパス通路１１側に突出するように設けられ、突出した部分が外側に向けて（上流側に向けて）開口されている。
【００５３】
また、導入部４１ａ，４２ａは、ミックスドア２０の可動領域内（閉塞部の軌跡領域内）に収まるように突出形成されている。この導入部は、筒状体をそのまま直線的に延長させるものであっても、先端部を閉塞部側へ向けて緩く湾曲させ、上流側から流れてくる空気をより導入しやすくするようにしてもよい。
【００５４】
以上の構成において、吹き出しモード毎に空気の流れを、図５を用いて説明する。ベントモード時にあっては、ミックスドア２０を、温風通路１２を閉塞しバイパス通路１１を全開とする位置に設定し、ロータリ式モードドア３１を、第２吹出通路６を閉塞し第１吹出通路５を全開とする位置に設定し、また、板式モードドア３５を、デフロスト吹出開口１４を閉塞する位置に設定する。これにより、エバポレータ７を通過した空気の全てがバイパス通路１１を通過し、ミックス空間１３へ導かれ、第１吹出通路５を経由してベント吹出開口１５から車室の乗員の上半身に向けて吹出される。
【００５５】
また、バイレベルモード時にあっては、ミックスドア２０をいずれの円周壁２５，２６からも離し、仕切壁１０の上端に閉塞部２３の中間部位を位置させ、バイパス通路１１と温風通路１２をミックス空間１３に連通させる。また、ロータリ式モードドア３１を、第１吹出通路５と第２吹出通路６のいずれも閉塞しない位置に設定し、板式モードドア３５を、デフロスト吹出開口１４を閉塞する位置に設定する。これにより、エバポレータ７を通過した空気は、バイパス通路１１を通過してミックス空間１３に導かれる冷風か、ヒータコア８と温風通路１２を通過してミックス空間１３に導かれる温風のいずれかとなる。ミックス空間１３に導かれた冷風の一部は、第１案内通路を介して第２吹出通路６側に供給され、ミックス空間１３に導かれた温風の一部は、第２案内通路を介して第１吹出通路５側に供給される。第１吹出通路５は、冷風と第１案内通路を介して供給された温風との混合空気が流れ、ベント吹出開口１５から車室の乗員の上半身に向けて吹出される。第２吹出通路６は、温風と第２案内通路を介して供給された冷風との混合空気が流れ、フット吹出開口１６から乗員の足元に向けて吹出される。
【００５６】
フットモード時にあっては、ミックスドア２０を、バイパス通路１１を閉塞する位置に設定し、ロータリ式モードドア３１を第１吹出通路５を閉塞する位置に設定する。これにより、エバポレータ７を通過した空気の全てがヒータコア８を通過して暖められ、温風通路１２を通過してミックス空間１３へ導かれ、第２吹出通路６を経由してフット吹出開口１６から車室の乗員の足元に向けて吹出される。
【００５７】
デフフットモード時にあっては、ミックスドア２０をいずれの円周壁２５，２６からも離し、仕切壁１０の上端に閉塞部２３の中間部位を位置させ、バイパス通路１１と温風通路１２をミックス空間１３に連通させる。また、ロータリ式モードドア３１を、第１吹出通路５と第２吹出通路６のいずれも閉塞しない位置に設定し、板式モードドア３５をベント吹出開口１５を閉塞する位置に設定する。これにより、エバポレータ７を通過した空気は、バイパス通路１１を通過してミックス空間１３に導かれる冷風か、ヒータコア８と温風通路１２を通過してミックス空間１３に導かれる温風のいずれかとなる。ミックス空間１３に導かれた冷風の一部は、第１案内通路を介して第２吹出通路６側に供給され、ミックス空間１３に導かれた温風の一部は、第２案内通路を介して第１吹出通路５側に供給される。第１吹出通路５は、冷風と第１案内通路を介して供給された温風との混合空気が流れ、デフロスト吹出開口１４から窓ガラスの内面に向けて吹出される。第２吹出通路６は、温風と第２案内通路を介して供給された冷風との混合空気が流れ、フット吹出開口１６から乗員の足元に向けて吹出される。
【００５８】
デフモードにあっては、ミックスドア２０を、バイパス通路１１を閉塞した位置に設定し、ロータリ式モードドア３１を、第２吹出通路６を閉塞する位置に設定し、板式モードドア３５を、ベント吹出開口１５を閉塞する位置に設定する。これにより、エバポレータ７を通過した空気の全てがヒータコア８を通過して暖められ、温風通路１２を通過してミックス空間１３へ導かれ、第１吹出通路５を経由してデフロスト吹出開口１４から窓ガラスの内面に向けて吹出される。
【００５９】
このうち、特にバイレベルモードとデフフットモードにおいては、仮に案内通路４１，４２がないと、バイパス通路１１を通過した冷風と温風通路１２を通過した温風とがミックスドア２０の下流側で十分に混合されることなく、温風は主として第２吹出通路６へ、冷風は主として第１吹出通路５へそれぞれ流れ、このため、デフロスト吹出開口１４やベント吹出開口１５から車室に吹出される空気（乗員の上半身や窓ガラスの内面に吹出される空気）の温度とフット吹出開口１６から車室に吹出される空気（乗員の足元に吹出される空気）の温度との温度差が大きくなる不都合がある。
【００６０】
しかしながら、ミックスドア２０の回転軸２１よりも上流側に設けられた閉塞部２３の裏側、即ち、回転軸２１と閉塞部２３との間には、温風通路１２を流れる温風の一部を、バイパス通路１１を流れる冷風と合流させることなく第１吹出通路５側へ案内する第１案内通路４１と、バイパス通路１１を流れる冷風の一部を、温風通路１２を流れる温風と合流させることなく第２吹出通路６側へ案内する第２案内通路４２とが設けられている。よって、図６に示されるように、第１吹出通路５には、冷風に第１案内通路４１からの温風を混合させた混合風が流れ、また、第２吹出通路６には、温風に第２案内通路４２からの冷風を混合させた混合風が流れ、デフロスト吹出開口１４やベント吹出開口１５から吹出す空気とフット吹出開口１６から吹出す空気の温度差を小さくすることが可能となる。
【００６１】
特に、本構成においては、ミックスドア２０において、回転軸２１より上流側となる閉塞部２３の裏側に案内通路４１，４２が設けられているので、混合する前の冷風又は温風を案内通路４１，４２に導くことができ、デフロスト吹出開口１４やベント吹出開口１５から吹出す空気とフット吹出開口１６から吹出す空気の温度差を効果的に小さくすることが可能となる。
【００６２】
また、各案内通路４１，４２には、導入部４１ａ，４２ａが設けられているので、ミックスドアの閉塞部の周方向の長さによらず、案内通路４１，４２への冷風または温風の導入を効果的に行うことができる。また、導入部４１ａ，４２ａは、ミックスドア２０の可動領域内に設けられているので、空調ケース２の大型化を回避することも可能となる。
【００６３】
さらに、上述の構成においては、吹出モード切替機構３０を構成するロータリ式モードドア３１がミックスドア２０の回転軸２１と同じ軸線上で支持されているので、ミックスドア２０の軸とロータリ式モードドア３１の軸とを別々の位置で支持する必要がなくなり、空調ケース２の小型化を図りやすいものとなる。
【００６４】
なお、上述の構成においては、冷却用熱交換器（エバポレータ７）と加熱用熱交換器（ヒータコア８）との両熱交換器を用いた例を示したが、冷却用熱交換器を用いずに、加熱用熱交換をバイパスした導入空気と加熱用熱交換器を通過した空気とで同様の構成を実現するようにしてもよい。このような構成においても、ミックスドア２０に形成された案内通路４１によって、冷風の代わりに常温の空気を第２吹出通路６へ導くことで、フット吹出開口１６から吹き出す空気の温度を下げることができ、デフロスト吹出開口１４やベント吹出開口１５から吹出す空気とフット吹出開口１６から吹出す空気との温度差を小さくすることが可能となる。
【００６５】
また、上述の構成においては、案内通路を第１案内通路４１と第２案内通路４２の両方を設けた例を示したが、いずれか一方の案内通路のみを設けても、デフロスト吹出開口１４やベント吹出開口１５から吹出す空気とフット吹出開口１６から吹出す空気との温度差を小さく効果を得ることが可能である。
さらに、上述においては、ヒータコア８としてエンジン冷却水を用いる温水式ヒータを用いた例を示したが、ＰＴＣヒータや、周知のヒートポンプによる放熱器を用いてもよい。
【００６６】
さらにまた、上述の構成例においては、上下方向で温度差が生じる空調装置に適用した例を示したが、左右方向の吹出口で温度差が生じる左右独立温調型の空調装置に対して、左右の温度差を小さくするために上述した構成を利用するようにしてもよい。
【符号の説明】
【００６７】
１  空調ユニット
２  空調ケース
４  導入口
５  第１吹出通路
６  第２吹出通路
７  エバポレータ
８  ヒータコア
１１  バイパス通路
１２  温風通路
１３  ミックス空間
２０  ミックスドア
２１  回転軸
２３  閉塞壁
３１  ロータリ式モードドア
４１  第１案内通路
４２  第２案内通路
４１ａ，４２ａ  導入部
【図１】
2014058009.tif 000003
【図２】
2014058009.tif 000004
【図３】
2014058009.tif 000005
【図４】
2014058009.tif 000006
【図５】
2014058009.tif 000007
【図６】
2014058009.tif 000008
【国際調査報告】
2014058009.tif 000009
2014058009.tif 000010
2014058009.tif 000011
2014058009.tif 000012